(57)【要約】特にエプロンコンベヤ、バケットコンベヤ等の搬送手段用の搬送鎖としての板リンク鎖であって、互いに平行に設けられかつ内側板金（１１）及び外側板金（１２）の連続から成る少なくとも２つの鎖連続体（１０）から成り、内側板金（１１）及び／又は外側板金（１２）が、搬送手段の別の構成部分を取付けるための角形留め具（１７）を持っているものにおいて、板リンク鎖の内側板金（１１）及び／又は外側板金（１２）が、少なくとも２つの個別板金（１５，１６）から構成され、これら個別板金のうち１つの個別板金（１６）が角形留め具（１７）を持っている。
2006513952.tif 000002
【特許請求の範囲】
【請求項１】
特にエプロンコンベヤ、バケットコンベヤ等の搬送手段用の搬送鎖としての板リンク鎖であって、互いに平行に設けられかつ内側板金（１１）及び外側板金（１２）の連続から成る少なくとも２つの鎖連続体（１０）から成り、対向する鎖連続体（１０）の内側板金（１１）を結合する少なくとも１つのブシュ（１３）を受入れる開口を内側板金（１１）が持ち、ブシュ（１３）を通って延びかつ外側板金（１２）に固定される鎖ピン（１４）を受入れるため内側板金（１１）の開口と一直線をなす開口を外側板金（１２）が持ち、鎖連続体（１０）を形成する内側板金（１１）及び／又は外側板金（１２）が、搬送手段の別の構成部分を取付けるための角形留め具（１７）を持っているものにおいて、板リンク鎖の内側板金（１１）及び／又は外側板金（１２）が、少なくとも２つの個別板金（１５，１６）から構成され、これら個別板金のうち１つの個別板金（１６）が角形留め具（１７）を持っていることを特徴とする、板リンク鎖。
【請求項２】
角形留め具（１７）が、それを保持する個別板金（１６）と一体に構成されていることを特徴とする、請求項１に記載の板リンク鎖。
【請求項３】
鎖連続体（１０）を形成する内側板金（１１）及び外側板金（１２）が、異なる数の個別板金（１５，１６）により形成される全厚さをそれぞれ持つように構成されていることを特徴とする、請求項１又は２に記載の板リンク鎖。
【請求項４】
内側板金（１１）及び／又は外側板金（１２）を構成するために利用される個別板金（１５，１６）が異なる材料厚さを持っていることを特徴とする、請求項１〜３の１つに記載の板リンク鎖。
【請求項５】
個別板金（１５，１６）が内側板金（１１）又は外側板金（１２）となるように互いに結合されていることを特徴とする、請求項１〜４の１つに記載の板リンク鎖。
【請求項６】
両方の鎖連続体（１０）を形成する内側板金（１１）及び／又は外側板金（１２）が、角形留め具（１７）を持っていることを特徴とする、請求項１〜５の１つに記載の板リンク鎖。
【発明の詳細な説明】
【技術分野】
【０００１】  本発明は、特にエプロンコンベヤ、バケットコンベヤ等の搬送手段用の搬送鎖としての板リンク鎖であって、互いに平行に設けられかつ内側板金及び外側板金の連続から成る少なくとも２つの鎖連続体から成り、対向する鎖連続体の内側板金を結合する少なくとも１つのブシュを受入れる開口を内側板金が持ち、ブシュを通って延びかつ外側板金に固定される鎖ピンを受入れるため内側板金の開口と一直線をなす開口を外側板金が持ち、鎖連続体を形成する内側板金及び／又は外側板金が、搬送手段の別の構成部分を取付けるための角形留め具を持っているものに関する。
【背景技術】
【０００２】  前記の特徴を持つ板リンク鎖は、ＤＩＮ規格８１６７及びＤＩＮ規格８１７５に記載されている。このような板リンク鎖では、伝達可能な最大鎖引張り荷重が最も弱い鎖要素即ち内側板金外側板金、ブシュ又はピンにより決定されるという問題がある。最初にあげた種類の板リンク鎖において経験によれば、鎖ブシュを受入れるため断面を小さくする穴を持つ内側板金が、最初にあげた種類の板リンク鎖の弱い個所をなしている。公知の製造方法の範囲内で板金が、圧延された板から打抜き、せん断又はレーザ切断により製造される場合、これらの製造方法は経済的な理由から特定の板厚しか許さず、それにより板リンク鎖の最大許容引張り荷重も限られている。もっと大きい鎖引張り荷重が必要になると、極度に加工の割合が大きく従って高価な鍛造鎖が使用される。
【発明の開示】
【発明が解決しようとする課題】
【０００３】  従って本発明の基礎となっている課題は、最初にあげた特徴を持つ板リンク鎖において、すべての鎖要素の均一な荷重を生じ、場合によっては許容鎖引張り荷重を高めることである。
【課題を解決するための手段】
【０００４】  この課題の解決策は、発明の有利な構成及び展開を含めて、この説明の前に置かれている特許請求の範囲の内容から明らかになる。【０００５】  本発明は、その基本思想において、板リンク鎖の内側板金及び／又は外側板金が、少なくとも２つの個別板金から構成され、これら個別板金のうち１つの個別板金が角形留め具を持っていることを意図している。【０００６】  本発明に伴う利点は、許容鎖引張り荷重を限定されることなく、経済的な製造を可能にする値に、個別板金の材料厚さを限定できることである。即ち２つ又はそれ以上、従って３つ又は４つ、又は板リンク鎖の技術的設計において好都合な数の個別板金を、内側板金及び／又は外側板金を形成するために利用することによって、鎖引張り荷重をむしろ増大することができる。個別板金のみが角形留め具と結合されているので、これらの個別板金の製造も同様に容易になる。なぜならば、角形留め金に取付けられる搬送手段の別の構成部分により、板リンク鎖の荷重は、鎖に存在する引張り荷重より小さいからである。従って本発明により構成される鎖は、最良の材料利用係数を持っている。【０００７】  本発明の実施例により、角形留め具が、それを保持する個別板金と一体に構成され、角形留め具が曲げ、プレス又は他の適当な製造方法により直接製造される場合、適当な板金の全厚さを変形することはもはや必要ではなく、角形留め具を保持する限られた材料厚さの個別板金に適当な成形過程が限られているという、特別な利点が伴う。【０００８】  本発明の実施例によれば、鎖連続体を形成する内側板金及び外側板金が、異なる数の個別板金により形成される全厚さをそれぞれ持つように構成されている。それにより本発明は、鎖連続体の外側板金よりもっと多くの数の個別板金を使用することにより、同じ鎖連続体の内側板金に、もっと大きい材料厚さを与えることを有利に可能にする。即ち複数の個別板金から構成される内側板金と交互に設けられる鎖連続体の外側板金がただ１つの個別板金から成ることを、本発明は排除しない。【０００９】  本発明の実施例により、内側板金及び／又は外側板金を構成するために利用される個別板金が異なる材料厚さを持っている場合、内側板金又は外側板金の材料厚さの設定に関して大きい自由度が生じる。即ち薄い個別板金を厚い個別板金と交代して外側板金又は内側板金となるように組合わせることができる。【００１０】  本発明の実施例によれば、個別板金が内側板金又は外側板金となるように互いに結合され、その際個別板金が互いに接着されるか又は何らかの方法で結合される。【００１１】  両方の鎖連続体を形成する内側板金及び／又は外側板金が、角形留め具を持っているようにすることができる。【００１２】  図面には本発明の実施例が示されており、以下に説明される。
【発明を実施するための最良の形態】
【００１３】  図１に示す板リンク鎖は、互いに平行に再配列される鎖連続体１０から成り、各鎖連続体１０は内側板金１１及び外側板金１２の連続から形成されている。両方の鎖連続体１０の互いに対向する内側板金１１及び外側板金１２は、それぞれ内側板金１１を結合するブシュ１３と、外側板金１２の対応する開口を通してブシュ１３へ差込まれる鎖ピン１４とにより、互いに結合されている。【００１４】  既に図１からわかるように、両方の鎖連続体１０の内側板金１１及び外側板金１２は、それぞれまとまって、互いに平行に設けられかつブシュ１３又は鎖ピン１４上へはめられる２つの個別板金から成り、それぞれ１つの内側個別板金１５及び外側個別板金１６が設けられ、外側個別板金１６は、搬送手段の別の構成部分、例えばバケットコンベヤ用板リンク鎖を使用する場合バケットを取付けるための角形留め具１７と一体に構成されている。【００１５】  内側板金１１又は外側板金１２の構成は、図２からも詳細にわかる。内側板金１１を固定するため、ブシュ１３はその外端にそれぞれ一層小さい直径の段部１８を持ち、この段部が肩部１９を形成している。段部１８上には、２つの個別板金しかも内側個別板金１５及び角形留め具１７と一体に構成される外側個別板金１６が押しはめられて、個別板金１５，１６から形成される内側板金１１ブシュ１３の肩部１９へ当たるようになっている。同様にブシュ１３を貫通する鎖ピン１４上に設けられる外側板金１２も、鎖ピン１４上へ押しはめられる２つの個別板金、しかも内側個別板金１５及び角形留め具１７と一体に構成される外側個別板金１６から成っている。【００１６】  本発明は、同じ構造の内側板金及び外側板金を持つ図示した実施例に限定されず、内側板金１１又は外側板金１２を形成するため異なる数の個別板金１５又は１６も考えられる。【００１７】  前記の説明、特許請求の範囲、要約及び図面に開示されたこの書類の対象の特徴は、個々でもその任意の組合わせでも、本発明を種々の実施形態で実現するために重要である。
【図面の簡単な説明】
【００１８】
【図１】板リンク鎖の一部を平面図で示す。
【図２】図１のＩＩ−ＩＩ線による断面図を示す。
【図１】
2006513952.tif 000003
【図２】
2006513952.tif 000004
【手続補正書】
【提出日】平成16年11月29日(2004.11.29)
【手続補正１】
【補正対象書類名】特許請求の範囲
【補正対象項目名】全文
【補正方法】変更
【補正の内容】
【特許請求の範囲】
【請求項１】
特にエプロンコンベヤ、バケットコンベヤ等の搬送手段用の搬送鎖としての板リンク鎖であって、互いに平行に設けられかつ内側板金（１１）及び外側板金（１２）の連続から成る少なくとも２つの鎖連続体（１０）から成り、対向する鎖連続体（１０）の内側板金（１１）を結合する少なくとも１つのブシュ（１３）を受入れる開口を内側板金（１１）が持ち、ブシュ（１３）を通って延びかつ外側板金（１２）に固定される鎖ピン（１４）を受入れるため内側板金（１１）の開口と一直線をなす開口を外側板金（１２）が持ち、少なくとも鎖連続体（１０）を形成する内側板金（１１）及び／又は外側板金（１２）が、搬送手段の別の構成部分を取付けるための角形留め具（１７）を持っているものにおいて、板リンク鎖の内側板金（１１）が、少なくとも２つの個別板金（１５，１６）から構成され、これら個別板金のうち１つの個別板金（１６）が角形留め具（１７）を持っていることを特徴とする、板リンク鎖。
【請求項２】
角形留め具（１７）が、それを保持する個別板金（１６）と一体に構成されていることを特徴とする、請求項１に記載の板リンク鎖。
【請求項３】
鎖連続体（１０）を形成する内側板金（１１）及び外側板金（１２）が、異なる数の個別板金（１５，１６）により形成される全厚さをそれぞれ持つように構成されていることを特徴とする、請求項１又は２に記載の板リンク鎖。
【請求項４】
内側板金（１１）を構成するために利用される個別板金（１５，１６）が異なる材料厚さを持っていることを特徴とする、請求項１〜３の１つに記載の板リンク鎖。
【請求項５】
個別板金（１５，１６）が内側板金（１１）となるように互いに結合されていることを特徴とする、請求項１〜４の１つに記載の板リンク鎖。
【請求項６】
両方の鎖連続体（１０）を形成する内側板金（１１）が、角形留め具（１７）を持っていることを特徴とする、請求項１〜５の１つに記載の板リンク鎖。
【請求項７】
板リンク鎖の外側板金（１２）が、角形留め具（１７）を持つ個別板金から成っていることを特徴とする、請求項１〜６の１つに記載の板リンク鎖。
【請求項８】
板リンク鎖の外側板金（１２）が、少なくとも２つの個別板金（１５，１６）から構成され、これらの個別板金のうち１つの個別板金（１６）が角形留め具（１７）を持っていることを特徴とする、請求項１〜６の１つに記載の板リンク鎖。
【手続補正２】
【補正対象書類名】明細書
【補正対象項目名】全文
【補正方法】変更
【補正の内容】
【発明の詳細な説明】
【技術分野】
【０００１】  本発明は、特にエプロンコンベヤ、バケットコンベヤ等の搬送手段用の搬送鎖としての板リンク鎖であって、互いに平行に設けられかつ内側板金及び外側板金の連続から成る少なくとも２つの鎖連続体から成り、対向する鎖連続体の内側板金を結合する少なくとも１つのブシュを受入れる開口を内側板金が持ち、ブシュを通って延びかつ外側板金に固定される鎖ピンを受入れるため内側板金の開口と一直線をなす開口を外側板金が持ち、少なくとも鎖連続体を形成する内側板金及び／又は外側板金が、搬送手段の別の構成部分を取付けるための角形留め具を持っているものに関する。
【背景技術】
【０００２】  前記の特徴を持つ板リンク鎖は、ＤＩＮ規格８１６７及びＤＩＮ規格８１７５に記載されている。このような板リンク鎖では、伝達可能な最大鎖引張り荷重が最も弱い鎖要素即ち内側板金外側板金、ブシュ又はピンにより決定されるという問題がある。最初にあげた種類の板リンク鎖において経験によれば、鎖ブシュを受入れるため断面を小さくする穴を持つ内側板金が、最初にあげた種類の板リンク鎖の弱い個所をなしている。公知の製造方法の範囲内で板金が、圧延された板から打抜き、せん断又はレーザ切断により製造される場合、これらの製造方法は経済的な理由から特定の板厚しか許さず、それにより板リンク鎖の最大許容引張り荷重も限られている。もっと大きい鎖引張り荷重が必要になると、極度に加工の割合が大きく従って高価な鍛造鎖が使用される。【０００３】  英国特許第１９３５４７号明細書に記載されている板リンク鎖において、付加的に設けられるピン上に、角形留め具のような取付け部分がはめられる場合、それにより、ブシュを保持する内側板金の構成に関して生じる問題が除去されない。【０００４】  刊行物である英国特許出願公開第２１３５０１８号明細書、米国特許第１６９４７４６号明細書及び特開１６６０−６９１９０３号公報から公知のローラ鎖では、それぞれのローラを保持する軸が鎖の同じに構成される内側板金及び外側板金に同じように保持され、従って内側板金と外側板金の荷重が異なることはない。
【発明の開示】
【発明が解決しようとする課題】
【０００５】  従って本発明の基礎となっている課題は、最初にあげた特徴を持つ板リンク鎖において、すべての鎖要素の均一な荷重を生じ、場合によっては許容鎖引張り荷重を高めることである。
【課題を解決するための手段】
【０００６】  この課題の解決策は、発明の有利な構成及び展開を含めて、この説明の前に置かれている特許請求の範囲の内容から明らかになる。【０００７】  本発明は、その基本思想において、板リンク鎖の内側板金が、少なくとも２つの個別板金から構成され、これら個別板金のうち１つの個別板金が角形留め具を持っていることを意図している。【０００８】  本発明に伴う利点は、許容鎖引張り荷重を限定されることなく、経済的な製造を可能にする値に、個別板金の材料厚さを限定できることである。即ち２つ又はそれ以上、従って３つ又は４つ、又は板リンク鎖の技術的設計において好都合な数の個別板金を、内側板金を形成するために利用することによって、鎖引張り荷重をむしろ増大することができる。個別板金のみが角形留め具と結合されているので、これらの個別板金の製造も同様に容易になる。なぜならば、角形留め金に取付けられる搬送手段の別の構成部分により、板リンク鎖の荷重は、鎖に存在する引張り荷重より小さいからである。従って本発明により構成される鎖は、最良の材料利用係数を持っている。【０００９】  本発明の実施例により、角形留め具が、それを保持する個別板金と一体に構成され、角形留め具が曲げ、プレス又は他の適当な製造方法により直接製造される場合、適当な板金の全厚さを変形することはもはや必要ではなく、角形留め具を保持する限られた材料厚さの個別板金に適当な成形過程が限られているという、特別な利点が伴う。【００１０】  本発明の実施例によれば、鎖連続体を形成する内側板金及び外側板金が、異なる数の個別板金により形成される全厚さをそれぞれ持つように構成されている。それにより本発明は、鎖連続体の外側板金よりもっと多くの数の個別板金を使用することにより、同じ鎖連続体の内側板金に、もっと大きい材料厚さを与えることを有利に可能にする。即ち複数の個別板金から構成される内側板金と交代して設けられる鎖連続体の外側板金がただ１つの個別板金から成ることを、本発明は排除しない。【００１１】  本発明の実施例により、内側板金及び／又は外側板金を構成するために利用される個別板金が異なる材料厚さを持っている場合、内側板金又は外側板金の材料厚さの設定に関して大きい自由度が生じる。即ち薄い個別板金を厚い個別板金と交代して外側板金又は内側板金となるように組合わせることができる。【００１２】  本発明の実施例によれば、個別板金が内側板金又は外側板金となるように互いに結合され、その際個別板金が互いに接着されるか又は何らかの方法で結合される。【００１３】  両方の鎖連続体を形成する内側板金及び／又は外側板金が、角形留め具を持っているようにすることができる。【００１４】  図面には本発明の実施例が示されており、以下に説明される。
【発明を実施するための最良の形態】
【００１５】  図１に示す板リンク鎖は、互いに平行に配列される２つの鎖連続体１０から成り、各鎖連続体１０は内側板金１１及び外側板金１２の連続から形成されている。両方の鎖連続体１０の互いに対向する内側板金１１及び外側板金１２は、それぞれ内側板金１１を結合するブシュ１３と、外側板金１２の対応する開口を通してブシュ１３へ差込まれる鎖ピン１４とにより、互いに結合されている。【００１６】  既に図１からわかるように、両方の鎖連続体１０の内側板金１１及び外側板金１２は、それぞれまとまって、互いに平行に設けられかつブシュ１３又は鎖ピン１４上へはめられる２つの個別板金から成り、それぞれ１つの内側個別板金１５及び外側個別板金１６が設けられ、外側個別板金１６は、搬送手段の別の構成部分、例えばバケットコンベヤ用板リンク鎖を使用する場合バケットを取付けるための角形留め具１７と一体に構成されている。【００１７】  内側板金１１又は外側板金１２の構成は、図２からも詳細にわかる。内側板金１１を固定するため、ブシュ１３はその外端にそれぞれ一層小さい直径の段部１８を持ち、この段部が肩部１９を形成している。段部１８上には、２つの個別板金しかも内側個別板金１５及び角形留め具１７と一体に構成される外側個別板金１６が押しはめられて、個別板金１５，１６から形成される内側板金１１がブシュ１３の肩部１９へ当たるようになっている。同様にブシュ１３を貫通する鎖ピン１４上に設けられる外側板金１２も、鎖ピン１４上へ押しはめられる２つの個別板金、しかも内側個別板金１５及び角形留め具１７と一体に構成される外側個別板金１６から成っている。【００１８】  本発明は、同じ構造の内側板金及び外側板金を持つ図示した実施例に限定されず、内側板金１１又は外側板金１２を形成するため異なる数の個別板金１５又は１６も考えられる。【００１９】  前記の説明、特許請求の範囲、要約書及び図面に開示されたこの書類の対象の特徴は、個々でもその任意の組合わせでも、本発明を種々の実施形態で実現するために重要である。
【図面の簡単な説明】
【００２０】
【図１】  板リンク鎖の一部を平面図で示す。
【図２】  図１のＩＩ−ＩＩ線による断面図を示す。
【国際調査報告】
2006513952.tif 000005
2006513952.tif 000006
2006513952.tif 000007
2006513952.tif 000008
2006513952.tif 000009
2006513952.tif 000010